(57)【要約】【課題】搬送機構など媒体支持部内部の光の視認を抑制可能であり、搬送機構上流側の媒体経路内にある被記録媒体先端部の位置を視認可能な記録装置を提供する。【解決手段】記録装置１は、連続状の被記録媒体（Ｒ２）が供給される供給部（５９）、該供給部（５９）に供給された被記録媒体Ｒ３が通る媒体経路６０、及び、被記録媒体Ｒ３を搬送する搬送機構４４を有する媒体支持部（４０）と、媒体経路６０を通った被記録媒体Ｒ３に記録を行う記録部１２と、を備える。媒体支持部（４０）には、遮光性を有する側壁７１で形成された孔７２であって、媒体支持部（４０）の内部４１ａを通して搬送機構４４よりも搬送方向上流側Ｄ５の媒体経路６０内を視認可能な孔７２が設けられている。【選択図】図１
2014195899.tif 000002
【特許請求の範囲】
【請求項１】
連続状の被記録媒体が供給される供給部、該供給部に供給された前記被記録媒体が通る媒体経路、及び、前記被記録媒体を搬送する搬送機構を有する媒体支持部と、
前記媒体経路を通った前記被記録媒体に記録を行う記録部と、を備え、
前記媒体支持部には、遮光性を有する側壁で形成された孔であって、前記媒体支持部の内部を通して前記搬送機構よりも搬送方向上流側の前記媒体経路内を視認可能な孔が設けられている、記録装置。
【請求項２】
前記媒体支持部は、前記記録部に対して相対移動可能であり、
前記媒体支持部が前記記録部に前記被記録媒体を搬送する位置から相対移動したときに前記孔の前記媒体経路とは反対側の開口が露出する、請求項１に記載の記録装置。
【請求項３】
前記孔の前記媒体経路とは反対側の開口は、前記孔の前記媒体経路側の開口よりも広い、請求項１又は請求項２に記載の記録装置。
【請求項４】
前記孔は、前記媒体経路を通る前記被記録媒体の幅方向の異なる位置に複数設けられている、請求項１〜請求項３のいずれか一項に記載の記録装置。
【請求項５】
前記搬送機構は、前記媒体経路内の前記被記録媒体の有無を検出する検出器を有する、請求項１〜請求項４のいずれか一項に記載の記録装置。
【請求項６】
前記媒体支持部は、少なくとも前記搬送機構が設けられた内部筐体を有し、
前記孔を形成する前記側壁は、前記内部筐体に取り付けられる別部材で構成されている、請求項１〜請求項５のいずれか一項に記載の記録装置。
【発明の詳細な説明】
【技術分野】
【０００１】
本発明は、記録装置に関する。
【背景技術】
【０００２】
大型のインクジェットプリンター等の記録装置には、ロール紙ホルダーに装着したロール紙（被記録媒体）を供給口（供給部）から媒体経路に通して記録部に搬送して記録を行うものがある。また、供給口に挿入されたロール紙先端部を給紙ローラー対で挟持して記録部まで自動で搬送する自動給紙機構を備える記録装置もある。給紙機構を構成する給紙モーターはエンコーダー等から光が放出されるため、給紙機構等から放出される光の視認を抑制するため内部筐体内に給紙機構等が設けられる。記録装置の媒体経路は、給紙機構等が設けられるため、狭くされる。一般に、ユーザーは、新たなロール紙を使用するとき、手でロール紙の先端部を装置内部の狭い供給口に差し込んで給紙機構に供給する作業を行う必要がある。
【０００３】
なお、特許文献１に記載のシート記録装置は、多数枚のカットシートを収納する給紙カセットを複数段備え、各給紙カセットの引出側の一部が透明に形成されている。
【先行技術文献】
【特許文献】
【０００４】
【特許文献１】特開平５−５８４７５号公報
【発明の概要】
【発明が解決しようとする課題】
【０００５】
ロール紙をセットする際、給紙ローラー対の間際までロール紙先端部の位置を視認可能であることが好ましい。しかし、ロール紙を通す狭い媒体経路がユーザーから見て給紙機構等の背後にある場合、供給口に挿入され媒体経路内にあるロール紙先端部の位置を視認することができない。媒体経路内に挿入されたロール紙先端部が許容範囲を超えて斜めにずれていると正しく搬送されないため、許容範囲を超えてずれないようにロール紙先端部を供給口に差し込む作業は、煩わしい。
特許文献１に記載のシート記録装置は、給紙カセットに収納されたカットシートを給紙する技術であり、給紙機構近傍の媒体経路内を視認することができないため、上述の課題を解決する技術ではない。
【０００６】
なお、上述した問題は、インクジェットプリンターに限らず、種々の記録装置に同様に存在する。
【０００７】
以上を鑑み、本発明の目的の一つは、搬送機構など媒体支持部内部の光の視認を抑制可能であり、搬送機構上流側の媒体経路内にある被記録媒体先端部の位置を視認可能な記録装置を提供することにある。
【課題を解決するための手段】
【０００８】
本発明の態様の一つとして、本発明の記録装置は、連続状の被記録媒体が供給される供給部、該供給部に供給された前記被記録媒体が通る媒体経路、及び、前記被記録媒体を搬送する搬送機構を有する媒体支持部と、
前記媒体経路を通った前記被記録媒体に記録を行う記録部と、を備え、
前記媒体支持部には、遮光性を有する側壁で形成された孔であって、前記媒体支持部の内部を通して前記搬送機構よりも搬送方向上流側の前記媒体経路内を視認可能な孔が設けられている、態様を有する。
【０００９】
すなわち、媒体支持部に設けられた孔は、媒体支持部の内部を通して搬送機構よりも搬送方向上流側の媒体経路内を視認可能である。これにより、被記録媒体を通す媒体経路がユーザーから見て搬送機構等の背後にあっても、供給部に供給され媒体経路内にある被記録媒体先端部を視認することができ、許容範囲を超えてずれないように被記録媒体先端部を供給部に供給する作業が軽減される。また、媒体支持部内部の光の視認は、孔の遮光性を有する側壁で抑制される。従って、上記態様は、搬送機構など媒体支持部内部の光の視認を抑制可能であり、搬送機構上流側の媒体経路内にある被記録媒体先端部の位置を視認可能な記録装置を提供することができる。
【００１０】
ここで、上記記録装置には、インクジェットプリンター、ワイヤドットプリンター、レーザープリンター、ラインプリンター、複写機、ファクシミリ、等が含まれる。
連続状の被記録媒体には、ロール状の被記録媒体、折り畳まれた被記録媒体、等が含まれる。
遮光性は、光を完全に遮断することに限定されず、光の一部が透過することが含まれる。従って、遮光性を有する側壁は、光の少なくとも一部を遮ることができればよい。
【００１１】
ところで、前記媒体支持部は、前記記録部に対して相対移動可能でもよい。前記媒体支持部が前記記録部に前記被記録媒体を搬送する位置から相対移動したときに前記孔の前記媒体経路とは反対側の開口が露出してもよい。この態様は、記録中に孔が隠れるため、孔から異物が入ることによる被記録媒体の傷付きを抑制することができる。なお、媒体支持部が相対移動することには、記録部が移動しないで媒体支持部が移動すること、媒体支持部が移動しないで記録部が移動すること、及び、記録部と媒体支持部がともに移動すること、が含まれる。
【００１２】
前記孔の前記媒体経路とは反対側の開口は、前記孔の前記媒体経路側の開口よりも広くてもよい。この態様は、孔に外光が入り易いため、媒体経路内が明るくなり、媒体経路内を視認し易くすることができる。
【００１３】
前記孔は、前記媒体経路を通る前記被記録媒体の幅方向の異なる位置に複数設けられてもよい。この態様は、搬送機構上流側の媒体経路内にある被記録媒体の平行度を確認可能な記録装置を提供することができる。
【００１４】
前記搬送機構は、前記媒体経路内の前記被記録媒体の有無を検出する検出器を有してもよい。媒体経路内の被記録媒体の有無を検出することができると、被記録媒体の存在が検出されたときに被記録媒体を自動で搬送することができる。従って、この態様は、搬送機構上流側の媒体経路内にある被記録媒体の位置を視認可能な利便性の良い記録装置を提供することができる。
【００１５】
前記媒体支持部は、少なくとも前記搬送機構が設けられた内部筐体を有してもよい。前記孔を形成する前記側壁は、前記内部筐体に取り付けられる別部材で構成されてもよい。この態様は、簡易な構成で搬送機構上流側の媒体経路内にある被記録媒体の位置を視認可能な記録装置を提供することができる。
【図面の簡単な説明】
【００１６】
【図１】給紙ユニット（媒体支持部）４０を引き出した状態の記録装置１を例示する縦断面図。
【図２】（ａ），（ｂ）は記録装置１の外観を例示する斜視図。
【図３】給紙ユニット４０を収容した状態の記録装置１を例示する縦断面図。
【図４】（ａ）は窓部材（別部材）７０等を例示する斜視図、（ｂ）は窓部材７０を内部筐体４３に取り付ける様子を模式的に例示する縦断面図。
【図５】給紙ユニット４０の要部を例示する縦断面図。
【図６】（ａ），（ｂ）は記録装置１の作用を例示する斜視図。
【発明を実施するための形態】
【００１７】
以下、本発明の実施形態を説明する。むろん、以下の実施形態は本発明を例示するものに過ぎず、実施形態に示す特徴の全てが発明の解決手段に必須になるとは限らない。
【００１８】
図１は、記録装置１の例として大型のインクジェットプリンターを示す縦断面図であり、スタッカー１９を省略して給紙ユニット（媒体支持部）４０が所定の引出位置Ｌ２にある状態を示している。図２（ａ），（ｂ）は記録装置１の外観を示す斜視図であり、図２（ａ）は給紙ユニット４０が所定の収容位置Ｌ１にある状態を示し、図２（ｂ）は一部の図示を省略して給紙ユニット４０が引出位置Ｌ２にある状態を示している。図３は、スタッカー１９を省略して給紙ユニット４０が収容位置Ｌ１にある状態の記録装置１を示す縦断面図である。収容位置Ｌ１は、媒体経路３０，６０に被記録媒体Ｒ３を通す位置であり、記録部１２に被記録媒体Ｒ３を搬送する位置である。図４（ａ）は、窓部材７０及びその近傍の内部筐体４３等を示す斜視図である。図４（ｂ）は、別部材である窓部材７０を内部筐体４３に取り付ける様子を模式的に示す縦断面図である。図５は、給紙ユニット４０の要部を示す縦断面図である。
【００１９】
上述した図中、符号Ｄ１は、本体１０に対する給紙ユニット４０のスライド方向を示している。符号Ｄ２は、スライド方向Ｄ１の一方側であり、収容位置Ｌ１から引出位置Ｌ２へ向かう引出方向を示している。符号Ｄ３は、スライド方向Ｄ１の他方側であり、引出位置Ｌ２から収容位置Ｌ１に向かう収容方向を示している。符号Ｄ４は被記録媒体Ｒ３の搬送方向であり、図示の搬送方向Ｄ４はスライド方向Ｄ１と交わっている。符号Ｄ５は搬送方向Ｄ４の上流側を示し、符号Ｄ６は搬送方向Ｄ４の下流側を示している。符号Ｄ７は、被記録媒体Ｒ３の幅方向であり、図示の例ではスライド方向Ｄ１及び搬送方向Ｄ４に直交する記録装置幅方向を示している。図１，３は、記録装置１を幅方向Ｄ７の外側から側面視した図である。
【００２０】
なお、分かり易く示すため、各図は整合していないことがある。
また、本明細書で説明する位置関係は、発明を説明するための例示に過ぎず、発明を限定するものではない。従って、本体の下以外の位置、例えば、上、左、右、といった位置に給紙ユニットが配置されることなども、本発明に含まれる。
【００２１】
上述した図に示す記録装置１は、記録部１２を有する本体１０と、この本体１０に対して相対移動可能に設けられた給紙ユニット４０とを備え、装置上部奥の第一ロール紙Ｒ１と装置下部の第二ロール紙Ｒ２とを切り替えて印刷する（記録を行う）ことが可能である。ロール紙は、シートをロール状に巻いた連続紙である。両ロール紙Ｒ１，Ｒ２は、外側が印刷面とされている。むろん、繰り出し機構２１，５１の位置を変えると、内側が印刷面とされたロール紙も使用可能である。ロール紙には、紙、布、プラスチックシート、皮革、等、種々の材質の巻回被記録媒体を使用することができる。
図１等に示すように、本体１０は、制御部１１、記録部１２、搬送ローラー対（１５，１６）、排出部１７、カッター１８、スタッカー１９、第一ロール紙用の媒体経路２０及び給紙機構（２１〜２５）、第二ロール紙用の第一媒体経路３０及びコロローラー（従動ローラー）３３，３４、等を備えている。また、本体１０は、キャスター３７付き脚部３６に支持されている。
【００２２】
制御部１１は、ＣＰＵ（Central Processing Unit）、ＲＯＭ（Read Only Memory）、ＲＡＭ（Random Access Memory）等を有し、外部のホスト装置から記録出力の指令を受け取って被記録媒体に印刷する等、記録装置１の各部の動作を制御する。印刷対象の被記録媒体は、ロール紙Ｒ１，Ｒ２の一方から引き出された部分であり、第二ロール紙Ｒ２の場合には連続したシート状の被記録媒体Ｒ３である。
記録部１２は、記録ヘッド１３とプラテン１４を有し、媒体経路を通った被記録媒体に印刷する。記録ヘッド１３は、プラテン１４と対向する上側に配置され、インクを被記録媒体に対して吐出して記録可能である。プラテン１４は、被記録媒体を支持し、被記録媒体と記録ヘッド１３との間を所定の距離にする。
【００２３】
搬送ローラー対（１５，１６）は、下側に配置された駆動ローラー１５と、上側に配置された従動ローラー１６とを備える。従動ローラー１６は、駆動ローラー１５から離間可能であり、近接時に駆動ローラー１５とで被記録媒体を挟持する。
排出部１７から送り出される被記録媒体は、カッター１８で切断されて搬送ローラー対（１５，１６）の挟持から解放されると、スタッカー１９にスタックされる。
【００２４】
第一ロール紙用の給紙機構は、第一ロール紙Ｒ１を支持する繰り出し機構２１、給紙ローラー対（２２，２３）、コロローラー（従動ローラー）２４，２５、等を備えている。給紙ローラー対（２２，２３）は、収容方向Ｄ３側に配置された駆動ローラー２２と、引出方向Ｄ２側に配置された従動ローラー２３とを備える。従動ローラー２３は、駆動ローラー２２から離間可能であり、近接時に駆動ローラー２２とで被記録媒体を挟持する。
繰り出し機構２１のロール紙ホルダーに装着した新たな第一ロール紙Ｒ１の給紙時、ユーザーは、まず、給紙ローラー対（２２，２３）の間にロール紙Ｒ１の先端部を入れることになる。その後、繰り出し機構２１がロール紙Ｒ１を繰り出すとともに繰り出された被記録媒体を給紙ローラー対（２２，２３）が挟持して搬送ローラー対（１５，１６）の方へ搬送し、搬送ローラー対（１５，１６）が被記録媒体を挟持する。印刷時には、搬送ローラー対（１５，１６）が被記録媒体をプラテン１４上に搬送し、記録ヘッド１３がインクを吐出して被記録媒体に記録を行う。
【００２５】
記録部１２に搬送される被記録媒体Ｒ３を通すための第一媒体経路３０は、コロローラー３３が設けられた引出方向Ｄ２側の第一の一方側壁部３１と、コロローラー３４が設けられた収容方向Ｄ３側の第一の他方側壁部３２とを有している。
【００２６】
給紙ユニット（媒体支持部）４０は、第二ロール紙（連続状の被記録媒体）Ｒ２が供給される供給口（供給部）５９、該供給口５９に供給された被記録媒体Ｒ３が通る第二媒体経路６０、給紙機構（４２，５１，５３，５４）、等を備えている。これらの各部は、外部筐体４１に収容されている。供給口５９は、長手方向を被記録媒体の幅方向Ｄ７に向けたスロット状に形成されている。むろん、被記録媒体が供給される供給部の形状は、スロット状に限定されない。給紙ユニット４０は、収容位置Ｌ１と引出位置Ｌ２との間でスライド可能であり、制御部１１と電気的に接続されている。記録装置１は、給紙ユニット４０が収容位置Ｌ１にあるか否かを検出する位置検出センサー９１を備え、収容位置Ｌ１に給紙ユニット４０があることが検出されないときに自動給紙動作を行わないようにしている。
【００２７】
第一媒体経路３０に搬送される被記録媒体Ｒ３を通すための第二媒体経路６０は、引出方向Ｄ２側の第二の一方側壁部６１と、収容方向Ｄ３側の第二の他方側壁部６２とを有している。第二の一方側壁部６１は、繰り出し機構５１から曲がってきた第二媒体経路６０の内側部分となり、コロローラー（従動ローラー）６３が設けられている。媒体経路６０は、シート状の被記録媒体Ｒ３を搬送するため、狭くされている。
【００２８】
第二ロール紙用の給紙機構は、窓部材７０が取り付けられた機構部４２、第二ロール紙Ｒ２を支持する繰り出し機構５１、従動ローラー５３、媒体経路６０内の被記録媒体Ｒ３の有無を検出する媒体検出センサー（検出器）５４、等を備えている。
【００２９】
機構部４２は、外部筐体４１の内部４１ａに設けられた遮光性の内部筐体４３、該内部筐体４３の内部に設けられた搬送機構４４、を備える。図２（ｂ）に示すように、内部筐体４３は、長手方向を幅方向Ｄ７に向けた長尺状に形成されている。図４（ｂ）等に示すように、内部筐体４３の内部には、正面部４３ｂと上面部４３ｃとに跨る位置から媒体経路の一方側壁部６１に至る窓部材７０の取付部４３ａが形成されている。該取付部４３ａは、内部筐体４３に対して幅方向Ｄ７の両側に偏在した二箇所に設けられている。図４（ａ）に示す例では、窓部材７０の嵌合部７５と嵌合する凸状の嵌合部４３ｄが取付部４３ａに設けられていることが示されている。壁部６１には、給紙ローラー対（４６，５３）の一方のローラーを構成する駆動ローラー４６が設けられている。内部筐体４３の内部には、エンコーダー４５ａを有するサーボモーターであるモーター４５が収容されている。モーター４５は、制御部１１からの指示に従って駆動ローラー４６を回転駆動する。
上記エンコーダー４５ａからは、光が放出される。エンコーダー等から放出される光がユーザーの目に入らないようにするため、遮光性の内部筐体４３にモーター４５が収容される。
【００３０】
従動ローラー５３は、給紙ローラー対（４６，５３）の他方のローラーを構成する。従動ローラー５３は、駆動ローラー４６から離間可能であり、近接時に駆動ローラー４６とで被記録媒体Ｒ３を挟持する。図５等に示す媒体検出センサー５４は、第二媒体経路６０において給紙ローラー対（４６，５３）の手前に被記録媒体Ｒ３が供給されているか否かを検出する。図５等に示す媒体検出センサー５４は孔７２よりも搬送機構上流側Ｄ５にあるが、媒体検出センサーの位置は媒体経路内の被記録媒体の有無を検出可能な位置であれば限定されない。媒体検出センサー５４があることにより、媒体経路６０内の被記録媒体Ｒ３の有無を検出することができ、被記録媒体Ｒ３の存在が検出されたときに被記録媒体Ｒ３を自動で搬送することができる。
【００３１】
内部筐体４３の各取付部４３ａに取り付けられる各窓部材７０は、遮光性を有する側壁７１で形成された孔７２を有している。この孔７２は、単なる壁の開口ではなく、機構部４２を通して媒体経路６０内を覗くことが可能な「覗き孔」として機能する。
媒体経路６０は、壁部６１，６２で覆われるため、狭くて内部が見え難い。被記録媒体を通す狭い媒体経路がユーザーから見て遮光性の内部筐体４３（機構部４２）の背後にある場合、上記孔７２が無ければ、供給口に差し込まれ媒体経路内にある被記録媒体先端部の位置を視認することができない。媒体経路内に挿入された被記録媒体先端部が許容範囲を超えて斜めにずれていると正しく搬送されないため、被記録媒体先端部の位置を視認することができない場合、許容範囲を超えてずれないように被記録媒体先端部を供給口に差し込む作業は、煩わしい。そこで、本記録装置１は、上記「覗き孔」として機能する孔７２を設けている。
【００３２】
図４（ｂ）に示す側壁７１は、機構部４２を貫通するように内部筐体４３に取り付けられる別部材で構成されている。「覗き窓」として機能する窓部材７０に側壁７１があることにより、内部筐体４３内の搬送機構４４に手が触れないようにされ、クリップ等の異物が搬送機構４４に入り込まないようにされている。遮光性を有する側壁７１は、光を完全に遮断してもよいが、光の一部を透過させてもよい。側壁の材料には、種々の不透光媒質や半透明体等を用いることができ、例えば、透明でない合成樹脂、透明でないエラストマー、金属、等の一種以上を用いることができる。むろん、透明な合成樹脂やエラストマーに着色材といった遮光材を添加して遮光性を付与した材料も用いることができる。内部筐体４３の内部を貫通する窓部材７０の側壁７１が遮光性を有していることにより、図５に示すように内部筐体４３の内部でエンコーダー４５ａ等から光が放出されても、放出光が側壁７１を透過することが抑制される。
【００３３】
図２（ｂ）には、記録装置１を正面から見たときに左側となる幅方向一方側の内部筐体４３に孔７２Ａが配置され、右側となる幅方向他方側の内部筐体４３に孔７２Ｂが配置されていることが示されている。従って、給紙ユニット４０に設けられる孔７２は、媒体経路６０を通る被記録媒体Ｒ３の幅方向Ｄ７の異なる位置に複数設けられていることになる。各孔７２は、機構部４２の内部、すなわち、給紙ユニット４０の内部４１ａを通して駆動ローラー４６（搬送機構４４）よりも搬送方向上流側Ｄ５の媒体経路６０内を視認可能な「覗き孔」である。なお、駆動ローラー４６よりも搬送方向上流側Ｄ５の媒体経路６０は、供給口５９と駆動ローラー４６との間にある媒体経路である。
【００３４】
図１〜５に示す孔７２は、貫通孔であり、正面部４３ｂ及び上面部４３ｃに配置された手前側の開口７３から、壁部６１に配置された奥側の開口７４に向かうにつれて、徐々に細くなっている。すなわち、媒体経路６０とは反対側にある手前側の開口７３は、媒体経路６０側にある奥側の開口７４よりも広くされている。孔７２の断面形状は、角を丸くした略矩形形状とされている。むろん、孔７２の断面形状は、長手方向を幅方向Ｄ７に向けた長尺な形状等でもよい。
図４（ａ）に示す窓部材７０には、内部筐体４３の凸状の嵌合部４３ｄと嵌合するスリット状の嵌合部７５が形成されている。むろん、嵌合部４３ｄ，７５の構造は、凸部とスリットの組合せに限定されない。
【００３５】
図３に示すように給紙ユニット４０が収容位置Ｌ１にあるとき、孔７２が設けられた内部筐体４３が本体１０の下に隠れる。給紙ユニット４０が収容位置Ｌ１から引出位置Ｌ２にスライド移動（相対移動）すると、図１に示すように、孔７２が設けられた内部筐体４３が外から見える位置になり、孔７２の手前側の開口７３が露出する。このとき、ユーザーは、図４（ａ）に示すように、孔７２を通して駆動ローラー４６よりも搬送方向上流側Ｄ５の媒体経路６０内を視認することができる。図４（ａ）には、奥側の開口７４から被記録媒体Ｒ３の先端部Ｒ４とともに媒体経路６０の他方側壁部６２が見えていることが示されている。
【００３６】
繰り出し機構５１のロール紙ホルダーに装着した新たな第二ロール紙Ｒ２の給紙時、ユーザーは、まず、供給口５９にロール紙Ｒ２の先端部Ｒ４を入れることになる。その後、ユーザーが給紙ユニット４０を収容位置Ｌ１に収容すると、給紙ローラー対（４６，５３）よりも搬送方向上流側Ｄ５にある媒体経路６０内の被記録媒体Ｒ３の存在を媒体検出センサー５４が検出する。すると、繰り出し機構５１がロール紙Ｒ２を繰り出すとともに繰り出された被記録媒体Ｒ３を第二媒体経路６０内の給紙ローラー対（４６，５３）が挟持して第一媒体経路３０の方へ搬送する。そして、第一媒体経路３０を通り過ぎて搬送ローラー対（１５，１６）の間に搬送された被記録媒体Ｒ３を搬送ローラー対（１５，１６）が挟持する。その後、給紙ローラー対（４６，５３）は被記録媒体Ｒ３を挟持から解放してもよい。ここまでが自動給紙動作である。印刷時（記録時）には、搬送ローラー対（１５，１６）が被記録媒体Ｒ３をプラテン１４上に搬送し、記録ヘッド１３がインクを吐出して被記録媒体Ｒ３に記録を行う。一連の動作は、制御部１１が制御する。
【００３７】
次に、記録装置１の作用及び効果を説明する。
給紙ユニット４０に新たなロール紙Ｒ２を装着するとき、ユーザーは、まず、給紙ユニット４０を収容位置Ｌ１から引出位置Ｌ２まで引き出すことになる。すると、図２（ｂ）に示すように供給口５９が見える位置になるので、ユーザーは、ロール紙Ｒ２から引き出される被記録媒体Ｒ３の先端部Ｒ４を手で供給口５９に差し込む（供給する）ことができる。また、図１に示すように、孔７２の手前側の開口７３が露出するので、ユーザーは、孔７２を通して駆動ローラー４６よりも搬送方向上流側Ｄ５の媒体経路６０内を視認可能である。これにより、ロール紙をセットする際、給紙ローラー対（４６，５３）の間際まで被記録媒体先端部Ｒ４の位置を視認可能である。
【００３８】
供給口５９から挿入された被記録媒体先端部Ｒ４に許容範囲を超えたずれが無ければ、図６（ａ）に示すように、先端部Ｒ４の傾きが許容範囲内であり、各孔７２Ａ，７２Ｂから見える先端部Ｒ４の搬送方向Ｄ４の位置がほぼ揃っている。一方、先端部Ｒ４に許容範囲を超えたずれが有れば、図６（ｂ）に示すように、先端部Ｒ４の傾きが許容範囲を超え、各孔７２Ａ，７２Ｂから見える先端部Ｒ４の搬送方向Ｄ４の位置が許容範囲を超えてずれる。この状態で給紙を行うと正しく搬送されない斜行給紙となってしまうが、斜行給紙となる状態が判るので、ユーザーは孔７２Ａ，７２Ｂを覗いて被記録媒体先端部Ｒ４の傾きを直すことができる。
【００３９】
以上より、被記録媒体Ｒ３を通す狭い媒体経路６０がユーザーから見て遮光性の内部筐体４３（機構部４２）の背後にあっても、供給口５９に供給され媒体経路６０内にある被記録媒体先端部Ｒ４を視認することができる。従って、本技術は、許容範囲を超えてずれないように被記録媒体先端部Ｒ４を供給口５９に供給する作業を軽減することができる。また、エンコーダー４５ａから放出される光など給紙ユニット４０内部の光の視認は、孔７２の遮光性を有する側壁７１で抑制される。従って、本技術は、搬送機構など媒体支持部内部の光の視認を抑制可能であり、搬送機構上流側の媒体経路内にある被記録媒体先端部の位置を視認可能な記録装置を提供することができる。また、孔７２が被記録媒体Ｒ３の幅方向Ｄ７の異なる位置に複数設けられているので、媒体経路６０内にある被記録媒体先端部Ｒ４の平行度を容易に確認可能である。さらに、孔７２を形成する側壁７１が内部筐体４３に取り付けられる別部材で構成されているので、簡易な構成で媒体経路６０内にある被記録媒体先端部Ｒ４の位置を視認可能である。
【００４０】
媒体経路６０内に被記録媒体先端部Ｒ４を挿入した後、ユーザーが給紙ユニット４０を収容位置Ｌ１に収容すると、媒体検出センサー５４が媒体経路６０内の被記録媒体Ｒ３の存在を検出し、搬送ローラー対（１５，１６）に挟持されるまで被記録媒体Ｒ３が搬送される自動給紙動作が行われる。また、給紙ユニット４０が収容位置Ｌ１にあるときに被記録媒体Ｒ３に記録が行われる。すなわち、孔７２が本体１０の下に隠れた状態で記録が行われるので、記録中にクリップ等の異物が落ちて孔７２から媒体経路６０内に入るようなことが生じ難い。従って、本技術は、孔７２から異物が入ることによる被記録媒体Ｒ３の傷付きを抑制することができる。
【００４１】
さらに、孔７２の手前側の開口７３が奥側の開口７４よりも広いので、孔７２に外光が入り易く、媒体経路６０内が明るくなる。また、奥側の開口７４が狭いので、被記録媒体先端部Ｒ４の位置を正確に確認し易く、先端部Ｒ４のずれが判り易い。一方、手前側の開口７３が広いので、被記録媒体先端部Ｒ４の位置を視認し易い。従って、本例は、媒体経路６０内を視認し易い例を提供することができる。
【００４２】
なお、本発明は、種々の変形例が考えられる。
例えば、本発明を適用可能な被記録媒体は、ロール紙以外にも、折り畳んだ連続紙等でもよい。
上述したローラー対を構成する駆動ローラー及び従動ローラーは、上述した位置関係の逆の配置でもよい。また、従動ローラーの代わりに駆動ローラーを用いてローラー対を一対の駆動ローラーで構成してもよい。
記録装置は、複数の被記録媒体を切り替えて記録を行う装置以外にも、一つの被記録媒体に記録を行う装置でもよい。
媒体支持部は、装置上部奥の第一ロール紙Ｒ１を支持する給紙ユニット等でもよい。
記録部が移動しないで媒体支持部が収容位置と引出位置との間で移動する以外にも、媒体支持部が移動しないで記録部が収容位置と引出位置との間で移動してもよいし、媒体支持部と記録部がともに収容位置と引出位置との間で移動してもよい。また、孔が本体に隠れないように媒体支持部に設けられていれば、記録部に対して媒体支持部が相対移動しなくてもよい。
【００４３】
側壁で形成される孔が設けられる内部筐体には、搬送機構のみ設けられてもよいし、制御部やセンサーなど搬送機構以外の要素も設けられてもよい。
孔の手前側の開口は、内部筐体の正面部と上面部に跨った位置に設けられる以外にも、内部筐体の正面部のみに設けられてもよいし、内部筐体の上面部のみに設けられてもよい。むろん、孔は媒体支持部のどこに設けられてもよく、内部筐体が設けられていない場合でも、媒体支持部の内部を通して設けられる孔であれば、本発明を適用可能である。
孔の数は、３以上でもよいし、一つでもよい。例えば、上記孔７２Ａ，７２Ｂにわたる程度に幅方向Ｄ７へ長尺な孔を設けると、被記録媒体先端部Ｒ４の平行度を容易に確認することができる。
なお、上述した孔に透視性を有する材料が挿入されても、本発明に含まれる。また、孔を形成する側壁が別部材でなかったり、孔の断面積が手前側と奥側とで同じであったり、孔の手前側の開口が奥側の開口よりも狭かったりしても、媒体経路内にある被記録媒体先端部の位置を視認可能な効果が得られる。
【００４４】
以上説明したように、本発明によると、種々の態様により、搬送機構など媒体支持部内部の光の視認を抑制可能であり、搬送機構上流側の媒体経路内にある被記録媒体先端部の位置を視認可能な技術等を提供することができる。むろん、従属請求項に係る構成要件を有しておらず独立請求項に係る構成要件のみからなる技術等でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００４５】
１…記録装置、１０…本体、１２…記録部、３０…本体内の媒体経路、４０…給紙ユニット（媒体支持部）、４１…外部筐体、４１ａ…内部、４２…機構部、４３…内部筐体、４３ａ…取付部、４３ｂ…正面部、４３ｃ…上面部、４４…搬送機構、４５…モーター、４５ａ…エンコーダー、４６…駆動ローラー、５１…繰り出し機構、５３…従動ローラー、５４…媒体検出センサー（検出器）、５９…供給口（供給部）、６０…ユニット内の媒体経路、７０…窓部材、７１…側壁、７２，７２Ａ，７２Ｂ…孔、７３…媒体経路とは反対側の開口、７４…媒体経路側の開口、Ｄ１…スライド方向、Ｄ２…引出方向（スライド方向一方側）、Ｄ３…収容方向（スライド方向他方側）、Ｄ４…搬送方向、Ｄ５…搬送方向上流側、Ｄ６…搬送方向下流側、Ｄ７…幅方向、Ｌ１…収容位置、Ｌ２…引出位置、Ｒ１，Ｒ２…ロール紙、Ｒ３…被記録媒体、Ｒ４…先端部。
【図１】
2014195899.tif 000003
【図２】
2014195899.tif 000004
【図３】
2014195899.tif 000005
【図４】
2014195899.tif 000006
【図５】
2014195899.tif 000007
【図６】
2014195899.tif 000008